(57)【要約】【課題】  ディスクテーブルへの装着後における位置ずれを防止する。【解決手段】  中心部にターンテーブル３のセンターリング突部３ｂが挿入される装着孔１００ａを有すると共に内周部がターンテーブルのテーブル部３ａとクランパー４の押さえ部４ｄとによって狭持された状態でターンテーブルに装着され、装着孔の中心に対して同心円上に位置すると共にクランパーの押さえ部が挿入されて押さえられる被押さえ溝１００ｄを内周部に形成した。【選択図】図２
2006318612.tif 000002
【特許請求の範囲】
【請求項１】
中心部にターンテーブルのセンターリング突部が挿入される装着孔を有すると共に内周部がターンテーブルのテーブル部とクランパーの押さえ部とによって狭持された状態でターンテーブルに装着されるディスク状記録媒体であって、
装着孔の中心に対して同心円上に位置すると共にクランパーの押さえ部が挿入されて押さえられる被押さえ溝を内周部に形成した
ことを特徴とするディスク状記録媒体。
【請求項２】
情報信号の記録又は再生を行うためのデータートラックとして機能し同心円状又は螺旋状に形成された磁気トラックと、隣接する磁気トラックを磁気的に分離するための同心円状又は螺旋状に形成されたディスクリート溝とが半径方向において交互に設けられ、中心部にターンテーブルのセンターリング突部が挿入される装着孔を有すると共に内周部がターンテーブルのテーブル部とクランパーの押さえ部とによって狭持された状態でターンテーブルに装着されるディスク状記録媒体であって、
ディスクリート溝に対して同心円上に位置すると共にクランパーの押さえ部が挿入されて押さえられる被押さえ溝を内周部に形成した
ことを特徴とするディスク状記録媒体。
【発明の詳細な説明】
【技術分野】
【０００１】
本発明はディスク状記録媒体についての技術分野に関する。詳しくは、内周部にクランパーが挿入されて押さえられる溝を形成しディスクテーブルへの装着後における位置ずれ等を防止する技術分野に関する。
【背景技術】
【０００２】
ディスク状記録媒体として、光ディスク、光磁気ディスク、磁気ディスク等の種々のタイプが広く用いられている。
【０００３】
一般に、ディスク状記録媒体は、その中心部に形成された装着孔にターンテーブルのセンターリング突部が挿入されてターンテーブルに装着され、スピンドルモーターの回転によるターンテーブルの回転に伴って回転される。
【０００４】
このようなディスク状記録媒体にあっては、装着孔の内径がセンターリング突部の外径より僅かに大きく形成され、ディスク状記録媒体のディスクテーブルに対する装着の容易化等が図られている。
【０００５】
ディスク状記録媒体には、例えば、ハードディスクドライブ装置において用いられる磁気ディスクのように、装着孔にターンテーブルのセンターリング突部が挿入され、内周部がターンテーブルのテーブル部とクランパーの押さえ部とによって狭持された状態でターンテーブルに装着されるものがある。
【０００６】
また、磁気ディスクには、近年の高密度記録化に対応するために、隣接する磁気トラックが磁気的に分離された所謂ディスクリート型のディスク状記録媒体がある（例えば、特許文献１参照）。
【０００７】
ディスクリート型のディスク状記録媒体にあっては、同心円状又は螺旋状の磁気トラックが形成され、隣接する磁気トラック間に両者を磁気的に分離するための同心円状又は螺旋状のディスクリート溝が形成されている。従って、ディスクリート溝によって隣接する磁気トラック間の磁気的な相互干渉が防止され、磁気トラックのピッチを狭めることが可能となり、高密度記録化を図ることができる。
【０００８】
【特許文献１】特開２００４−１１０８９６号公報
【発明の開示】
【発明が解決しようとする課題】
【０００９】
ところが、従来のディスク状記録媒体にあっては、ディスクテーブルへの装着後に、スピンドルモーターの回転に伴う振動や外部からの衝撃による振動等が生じると、装着孔とセンターリング突部の隙間分、ディスク状記録媒体が径方向へシフトしてしまうおそれがある。
【００１０】
このような位置ずれが生じてしまうと、光ヘッドや磁気ヘッド等の記録トラックに対する追従性が悪化し、記録再生特性の劣化を来たすおそれがある。
【００１１】
特に、ディスクリート型のディスク状記録媒体のように、記録トラックのピッチが小さい高密度記録化を図ることが可能なディスク状記録媒体にあっては、位置ずれによる影響が大きいという問題がある。
【００１２】
そこで、本発明ディスク状記録媒体は、上記した問題点を克服し、ディスクテーブルへの装着後における位置ずれを防止することを課題とする。
【課題を解決するための手段】
【００１３】
本発明ディスク状記録媒体は、上記した課題を解決するために、装着孔の中心に対して同心円上に位置すると共にクランパーの押さえ部が挿入されて押さえられる被押さえ溝を内周部に形成したものである。
【００１４】
別の本発明ディスク状記録媒体は、上記した課題を解決するために、ディスクリート溝に対して同心円上に位置すると共にクランパーの押さえ部が挿入されて押さえられる被押さえ溝を内周部に形成したものである。
【００１５】
従って、本発明ディスク状記録媒体にあっては、被押さえ溝にクランパーの押さえ部が挿入された状態でディスクテーブルに装着される。
【発明の効果】
【００１６】
本発明ディスク状記録媒体は、中心部にターンテーブルのセンターリング突部が挿入される装着孔を有すると共に内周部がターンテーブルのテーブル部とクランパーの押さえ部とによって狭持された状態でターンテーブルに装着されるディスク状記録媒体であって、装着孔の中心に対して同心円上に位置すると共にクランパーの押さえ部が挿入されて押さえられる被押さえ溝を内周部に形成したことを特徴とする。
【００１７】
従って、ディスクテーブルへの装着後に、スピンドルモーターの回転に伴う振動や外部からの衝撃による振動等が生じた場合でも、ディスク状記録媒体が径方向へシフトすることがなく、ディスクテーブルに対するディスク状記録媒体の位置ずれを防止することができる。
【００１８】
別の本発明ディスク状記録媒体は、情報信号の記録又は再生を行うためのデータートラックとして機能し同心円状又は螺旋状に形成された磁気トラックと、隣接する磁気トラックを磁気的に分離するための同心円状又は螺旋状に形成されたディスクリート溝とが半径方向において交互に設けられ、中心部にターンテーブルのセンターリング突部が挿入される装着孔を有すると共に内周部がターンテーブルのテーブル部とクランパーの押さえ部とによって狭持された状態でターンテーブルに装着されるディスク状記録媒体であって、ディスクリート溝に対して同心円上に位置すると共にクランパーの押さえ部が挿入されて押さえられる被押さえ溝を内周部に形成したことを特徴とする。
【００１９】
従って、ディスクリート溝とディスクテーブルとの間の位置精度が向上し、記録再生特性の向上を図ることができる。
【発明を実施するための最良の形態】
【００２０】
以下に、本発明ディスク状記録媒体を実施するための最良の形態を添付図面に従って説明する。以下に示した最良の形態は、本発明ディスク状記録媒体をハードディスクドライブ装置に用いられたディスクリート型の磁気ディスクに適用したものである。
【００２１】
尚、本発明ディスク状記録媒体の適用範囲は、ディスクリート型の磁気ディスクに限られることはなく、光ディスク、光磁気ディスク、ディスクリート型以外の磁気ディスク等の各種のディスク状記録媒体に広く適用することができる。
【００２２】
ディスク状記録媒体１００は、図１に示すように、例えば、ハードディスクドライブ装置１の内部に配置されている。
【００２３】
ハードディスクドライブ装置１は、ケース体２内に所要の各機構が配置されて成り、該ケース体２は基台２ａとトップカバー２ｂによって形成されて成る。
【００２４】
基台２ａには図示しないスピンドルモータによって回転されるターンテーブル３が設けられ、該ターンテーブル３はディスク状記録媒体１００の内周部が載置されるテーブル部３ａと該テーブル部３ａの中心部に設けられたセンターリング突部３ｂとを有している。
【００２５】
センターリング突部３ｂには、ディスク状記録媒体１００がディスクテーブル３に装着された状態においてクランパー４が取り付けられる（図１及び図２参照）。クランパー４はセンターリング突部３ｂに取り付けられる円板状に形成された被取付部４ａと該被取付部４ａの外周縁から傾斜された状態で突出された傾斜部４ｂと該傾斜部４ｂに対して反対方向へ傾斜された外縁部４ｃとから成り、傾斜部４ｂと外縁部４ｃの連続部分がテーブル部３ａ側へ凸の断面Ｖ字状に形成された押さえ部４ｄとして設けられている。
【００２６】
ケース体２の基台２ａには回動型アクチュエーター５が配置されている。回動型アクチュエーター５は回動部６、ピボット７、駆動用マグネット８及びヨーク９を備え、回動部６は保持体１０とサスペンション１１、１１と浮上ヘッド１２、１２とを有している。
【００２７】
保持体１０はサスペンション保持部１３とコイル保持部１４とを有している。
【００２８】
サスペンション保持部１３には、サスペンション１１、１１がその厚み方向に離隔した状態で取り付けられている。サスペンション１１、１１は、保持体１０から突出され、各先端部に浮上ヘッド１２、１２が配置されている。サスペンション１１、１１は浮上ヘッド１２、１２を所定の荷重でディスク状記録媒体１００側に付勢する板バネとしての機能を有している。
【００２９】
コイル保持部１４には駆動用コイル１５が保持されている。
【００３０】
サスペンション１１、１１には、それぞれ導電用配線板１６、１６が貼着されている。導電用配線板１６、１６は、各一端部がそれぞれ浮上ヘッド１２、１２に接続されている。
【００３１】
駆動用マグネット８はヨーク９の内面に取り付けられ、保持体１０に保持された駆動用コイル１５と対向した状態で位置される。
【００３２】
基台２ａ上には回動型アクチュエーター５の動作の制御を行うための回路基板１７が配置されている。回路基板１７にはフレキシブルプリント配線板１８が接続されている。
【００３３】
フレキシブルプリント配線板１８は駆動用コイル１５への接続用のコイル用導線部と浮上ヘッド１２、１２への接続用のヘッド用導線部とを有し、コイル用導線部に駆動用コイル１５の両端部が接続され、ヘッド用導線部に導電用配線板１６、１６の他端部が接続されている。
【００３４】
回路基板１７には接続用基板１９の一端部が接続され、該接続用基板１９はケース体４から外部へ導出され、例えば、パーソナルコンピューター等の各種の電子機器の図示しないメイン基板（マザーボード）等に接続される。
【００３５】
ディスク状記録媒体１００の中心部には、ディスクテーブル３のセンターリング突部３ｂが挿入される装着孔１００ａが形成されている（図２及び図３参照）。
【００３６】
ディスク状記録媒体１００には、図３及び図４に示すように、内周部と外周部を除いた部分に同心円状又は螺旋状に形成された磁気トラックＴ、Ｔ、・・・と、隣接する磁気トラックＴ、Ｔ、・・・を磁気的に分離するための同心円状又は螺旋状に形成されたディスクリート溝Ｇ、Ｇ、・・・とが半径方向において交互に形成されている。
【００３７】
ディスク状記録媒体１００の内周部と外周部は、それぞれ磁気トラックＴ、Ｔ、・・・が形成されていない非記録領域１００ｂ、１００ｃとして形成されている（図３参照）。
【００３８】
ディスク状記録媒体１００の内周部に形成された非記録領域１００ｂには、円環状に形成された被押さえ溝１００ｄが形成されている（図２及び図３参照）。被押さえ溝１００ｄは装着孔１００ａの中心に対して同心円上に位置する円環状に形成されている。
【００３９】
上記のようなディスク状記録媒体１００は、例えば、図示しない装着装置によってクランプされ、装着孔１００ａの中心がターンテーブル３の回転中心に一致され装着孔１００ａにセンターリング突部３ｂが挿入された状態でターンテーブル３に装着される（図２参照）。ターンテーブル３に装着されたディスク状記録媒体１００は、被押さえ溝１００ｄにクランパー４の押さえ部４ｄが挿入されて押さえられ、クランパー４の被取付部４ａが、例えば、ネジ止めによりセンターリング突部３ｂに取り付けられてターンテーブル３に固定される。
【００４０】
ディスク状記録媒体１００がクランパー４に押さえられるときには、押さえ部４ｄに被押さえ溝１００ｄが倣うようにして位置決めされて装着される。
【００４１】
従って、被押さえ溝１００ｄが装着孔１００ａの中心に対して同心円上に位置するため、装着孔１００ａの中心とターンテーブル３の回転中心とが一致され、ディスク状記録媒体１００のディスクテーブル３に対する位置精度の向上を図ることができる。
【００４２】
尚、被押さえ溝１００ｄはディスクリート溝Ｇ、Ｇ、・・・に対して同心円上に位置するように形成されていてもよい。この場合には、ディスクリート溝Ｇ、Ｇ、・・・とディスクテーブル３との間の位置精度が向上し、記録再生特性の向上を図ることができる。
【００４３】
ディスク状記録媒体１００は、内周部がディスクテーブル３とクランパー４によって挟持されてターンテーブル３に対して固定され、該ターンテーブル３の回転に伴って回転される。
【００４４】
以下に、ディスク状記録媒体１００の製造方法の概略を説明する（図５乃至図１０参照）。
【００４５】
先ず、被加工体５０を用意する（図５参照）。被加工体５０は、ガラス基板５１、下地層５２、記録層５３、マスク層５４及びレジスト層５５が順に積層されて成る。下地層５２は、例えば、クロム系合金によって形成され、記録層５３は、例えば、コバルト、クロム、白金等の合金によって形成され、マスク層５４は、例えば、珪素等によって形成され、レジスト層５５は、例えば、ネガ型レジストによって形成されている。
【００４６】
次に、被加工体５０のレジスト層５５に分割パターンに相当する溝５５ａ、５５ａ、・・・を形成する（図６参照）。この分割パターンは磁気トラックＴ、Ｔ、・・・を磁気的に分離するために前工程として形成するパターンである。溝５５ａ、５５ａ、・・・の形成は、転写手段を用いてインプリント法やリソグラフィにより行う。この状態では、溝５５ａ、５５ａ、・・・の底面部にレジスト層５５の一部が残存する。
【００４７】
次いで、レジスト剥離装置（アッシング装置）を用いて、溝５５ａ、５５ａ、・・・の底面部に残存するレジスト層５５を除去する（図７参照）。
【００４８】
次に、イオンエッチング装置を用いて、残存するレジスト層５５及び溝５５ａ、５５ａ、・・・に対応するマスク層５４の部分を除去する（図８参照）。溝５５ａ、５５ａ、・・・に対応するマスク層５４の部分を除去することにより、マスク層５４に溝５４ａ、５４ａ、・・・が形成される。
【００４９】
次に、イオンビームエッチング装置を用いて、残存するマスク層５４及び溝５４ａ、５４ａ、・・・に対応する記録層５３の部分を除去する（図９参照）。このとき、同時に、位置決め孔２００、２００、２００又は位置決め溝をエッチングにより形成する。溝５４ａ、５４ａ、・・・に対応する記録層５３の部分を除去することにより、ディスクリート溝Ｇ、Ｇ、・・・が形成される。
【００５０】
最後に、膜形成装置を用いて、記録層５３の表面及びディスクリート溝Ｇ、Ｇ、・・・に保護膜５６（又は潤滑膜５６）を形成する（図１０参照）。保護膜５６の表面は、望ましくは、図１０に示すように、平滑面に形成し、ディスク状記録媒体１００の製造を完了する。このように保護膜５６を平滑面に形成することにより、浮上ヘッド１２をディスク状記録媒体１００に対して良好な位置精度で浮上させることが可能となり、浮上ヘッド１２の浮上状態の安定性を図ることができる。
【００５１】
尚、保護膜５６は、図１１に示すように、ディスクリート溝Ｇ、Ｇ、・・・に充填された部分の表面が凹状に形成されていてもよく、または、図１２に示すように、記録層５３上に形成された部分の表面とディスクリート溝Ｇ、Ｇ、・・・に充填された部分の表面とが段差形状を為すように形成されていてもよい。保護膜５６をこのような状態で形成する場合にあっても、記録層５３の表面とディスクリート溝Ｇ、Ｇ、・・・の底面に同一の厚みで保護膜５６を形成する場合に比し、浮上ヘッド１２の浮上状態が安定する。
【００５２】
以上に記載した通り、ディスク状記録媒体１００にあっては、装着孔１００ａの中心又はディスクリート溝Ｇ、Ｇ、・・・に対して同心円上に位置すると共にクランパー４の押さえ部が挿入されて押さえられる被押さえ溝１００ｄを内周部に形成しているので、ディスク状記録媒体１００のディスクテーブル３への装着後に、スピンドルモーターの回転に伴う振動や外部からの衝撃による振動等が生じた場合でも、ディスク状記録媒体１００が径方向へシフトすることがなく、ディスクテーブル３に対するディスク状記録媒体１００の位置ずれを防止することができる。
【００５３】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００５４】
【図１】図２乃至図１２と共に本発明の最良の形態を示すものであり、本図は、ハードディスクドライブ装置の概略斜視図である。
【図２】ディスク状記録媒体がディスクテーブルに装着された状態を示す拡大断面図である。
【図３】ディスク状記録媒体を概念的に示す平面図である。
【図４】ディスク状記録媒体の一部を拡大して概略的に示す断面図である。
【図５】図６乃至図１０と共にディスク状記録媒体の製造方法の一例を示すものであり、本図は被加工体を示す拡大断面図である。
【図６】被加工体のレジスト層に分割パターンに相当する溝を形成した状態を示す拡大断面図である。
【図７】溝の底面部に残存するレジスト層を除去した状態を示す拡大断面図である。
【図８】残存するレジスト層及び溝に対応するマスク層の部分を除去した状態を示す拡大断面図である。
【図９】残存するマスク層及び溝に対応する記録層の部分を除去した状態を示す拡大断面図である。
【図１０】記録層の表面及びディスクリート溝に保護膜を形成してディスク状記録媒体の製造を完了した状態を示す拡大断面図である。
【図１１】保護膜の形成状態の別の例を示す拡大断面図である。
【図１２】保護膜の形成状態のまた別の例を示す拡大断面図である。
【符号の説明】
【００５５】
３…ターンテーブル、３ａ…テーブル部、３ｂ…センターリング突部、４…クランパー、４ｄ…押さえ部、１００…ディスク状記録媒体、１００ａ…装着孔、１００ｄ…被押さえ溝、Ｔ…磁気トラック、Ｇ…ディスクリート溝
【図１】
2006318612.tif 000003
【図２】
2006318612.tif 000004
【図３】
2006318612.tif 000005
【図４】
2006318612.tif 000006
【図５】
2006318612.tif 000007
【図６】
2006318612.tif 000008
【図７】
2006318612.tif 000009
【図８】
2006318612.tif 000010
【図９】
2006318612.tif 000011
【図１０】
2006318612.tif 000012
【図１１】
2006318612.tif 000013
【図１２】
2006318612.tif 000014